(57)【要約】【課題】住宅基礎に、型枠を固定するセパレーター周辺よりの床下浸水を防止する打込部分付き再使用セパレーターと製造方法を提供する。【解決手段】コンクリ−ト硬化後、型枠を固定する部分４より型枠を取り外しと同時に、取り外される型枠止め部品１をコンクリートの厚さを定める部分４より分離する，初期移動用打撃を受ける打込部分３を手ハンマー等にて打込及びコンクリートの厚さを定める部分２を引抜く。引抜かれたコンクリート穴にモルタル防水等を行う。【選択図】  図１
2004150150.tif 000002
【特許請求の範囲】
【請求項１】
一対の型枠を保持するセパレーターが、型枠を固定する部分（４）から型枠が取り外されると同時に取り外される型枠止め部品（１）と、初期移動用打撃を受ける打込部分（３）を持ち型枠と９０度に形成されるコンクリ−トの厚さを定める部品（２）とを持つのを特徴とする打込部分付き再使用型セパレーター。
【請求項２】
セパレーターを固定する釘穴は型枠固定する部分（４）に明け、形状は板状のプラスチック成形品と軽量合金成形品及び鉄板折り曲げ品を特徴とする請求項１記載の打込部分付き再使用型セパレーター。
【請求項３】
手ハンマー等の初期移動用に打撃を受ける打込部分（３）が補強されていることを特徴とする請求項２記載の打込部分付き再使用型セパレーター。
【請求項４】
再使用する為に、型枠止め部品（１）が初期移動用打撃を受ける打込部分（３）を持ち型枠と９０度に形成されるコンクリ−トの厚さを定める部品（２）との着脱を特徴とする請求項３の打込部分付き再使用型セパレーターの製造方法。
【発明の詳細な説明】
【０００１】
【発明が属する技術分野】
本発明は、例えば木造建築物の基礎工事に用いられる防蟻及び耐震用基礎の一つである床下全てにコンクリートを打設するべた基礎の、底盤部分と立上り部分間に敷き、一対の型枠を保持するセパレーターが簡単に取り外しと再使用できる形状。
【０００２】
【従来の技術】
木造建築物の基礎の構造に、建設省告示第１３４７号（平成１２年５月２３日）で定義された「べた基礎」が追加された。「べた基礎」は地耐力２０ＫＮ以上の地盤には数多く採用されつつある。
この「べた基礎」のベース部分は健康上の意味合いから建築基準法に定められ地上に５０ｍｍ以上を露出せねばならない。その基礎床盤上部の上に立ち上がり部分が従来の埋め込み型セパレーターを使用してコンクリートが打設されている。
【０００３】
従来の埋め込み型セパレーターは意匠登録番号０９８９５１９に示す通り、製品の断面は逆Ｕ字型のためセパレーターの底部は、約３ＭＭ空閑となりコンクリート打説後には強度と防水性もほとんど無いレイタンス（生コンの灰汁）が詰まっている。
【０００４】
そこで、木造建築物の基礎は外装仕上げ等を、通常は使用済みセパレーターの外周部分を折り曲げ撤去後モルタル刷毛引き仕上げにて行われているが、下記のような問題点があった
【０００５】
【発明が解決しようとする課題】
即ち、防水性の無い埋め込み型セパレーターは排水性も少なく、建設中において窓ガラス及び外装の工事終了までは雨の降るたびに基礎床盤上部に溜まった雨水をバケツ及び小型ポンプにて排水作業を強いられている。
【０００６】
また、建築主が入居後家庭菜園等によって基礎外周部に土盛りを５０ｍｍ以上行うと床下に雨水が逆流して不衛生となることが多々ある。
【０００７】
基礎外装モルタル仕上げ等は、劣化と軽微な地震による振動とにより剥離する。
【０００８】
さらに、従来の基礎外装仕上げ等は、全体の建設工程の後半で給排水・ガス配管埋設完了後建物周囲の整地時に行われ、常に作業時間の短縮を求められる。
【０００９】
基礎工事の期間短縮とモルタル仕上げ等の剥離防止には、基礎外周をコンクリート打ち放し仕上げが最適である。
【００１０】
【課題を解決するための手段】
本発明に係る前記課題は、下記構成の打込部分付き再使用型セパレーターによって解消される。
【００１１】
セパレーターの形状を板状すると、型枠の固定が正確に簡単に据付けることが出来る。きれいなコンクリート基礎を打てるということは基礎外周をコンクリート打ち放し仕上げが可能である。
【００１２】
釘穴を型枠の固定する部分に明けることは、型枠を取り外したのち固定用釘を引き抜いて打込作業が可能。
【００１３】
コンクリート硬化後、型枠を固定する部分から型枠を取り外しと同時に型枠止め部品が取り外すことによって、コンクリートの厚さを定める部品を手ハンマー等の打撃作業が可能。
【００１４】
さらに、打撃を受ける部分が補強されて居ることによって、部品が初期移動と引抜き安易に可能。
【００１５】
また、簡単に型枠止め部分とコンクリートの厚さを定める部品を回収できる事によって、再使用が出来る。
【００１６】
【発明の実施の形態】
以下、図１〜図５を参照して本発明に係る再使用型セパレーターの実施形態を説明する。図１は一対の型枠を固定する部分４から型枠を取り外したときの打込部分付き再使用型セパレーターの使用形態を示す斜視図である。
【００１７】
本実施形態における、打込部分付き再使用セパレーターは再使用を目的としているから、図２に取り外される型枠止め部品１が初期移動用打撃を受ける打込部分３にガイドされて取り付られている。釘穴は型枠を固定する部分に明けてある。材質は取り外される部品１の着脱が容易であり、初期移動用打撃を受ける打込部分３が強固であり軽量である合成樹脂成形品及び軽量合金成形品が好適資材である。
【００１８】
図３に既存のセパレーターは逆Ｕ字型の鉄板折り曲げ品であったがこの打込部分付き再使用セパレーターの底面はレイタンスの溜まらないように平滑にしている。
【００１９】
図４に初期移動用打撃を受ける打込部分が打込部分付き再使用セパレーターの中央部に全長さ補強されている。
【００２０】
図５に型枠を止めてコンクリートの厚さを定める部分２は引抜きが容易に行われるべく上辺に勾配をつけました。
【００２１】
【発明の効果】
以上の如く、本発明に係る打込部分付き再使用セパレーター及びその製造方法は、以下に記載されるような効果を奏する。
【００２２】
再利用のために引抜かれるセパレーターが約６０ＣＭ間隔に位置していた穴は、工事中の基礎床盤上部の雨水排水口となる。雨水排水口は建設途中の外壁終了まで雨水汲み出しの多大な時間と出費を軽減できる。
【００２３】
また、打込部分付き再使用セパレーターが引抜かれたコンクリート穴に内側は防水モルタルを詰め外側はシリコーン等の防水樹脂を詰めることによって、入居後の
花壇からの床下浸水も無くすことができる。
【００２４】
さらに、セパレーターが引抜かれることによって基礎外周部をコンクリート打ち放し仕上げが出来、モルタル仕上げ等が必要としない。
【００２５】
そして、基礎外周部を打ち放しコンクリート仕上げは、外足場の早期解体となり工期短縮につながる。
【００２６】
【図面の簡単な説明】
【図１】型枠をとりつける前の打込部分付き再使用セパレーターの構成を示す斜視図である。
【図２】打込部分付き再使用セパレーターの平面図である。
【図３】打込部分付き再使用セパレーターの底面図である。
【図４】打込部分付き再使用セパレーターの図２におけるＡ〜Ａ断面図である。
【図５】図２で示されているＢ〜Ｂ断面図である。
【図６】打込部分付き再使用セパレーターの正面図である。
【図７】打込部分付き再使用セパレーターの右側面図である。
【図８】打込部分付き再使用セパレーターの左側面図である。
【符号の説明】
１    取り外される型枠止め部品
２  コンクリートの厚さを定める部分
３  初期移動用打撃を受ける打込部分
４  型枠を固定する部分
５  釘穴
【図１】
2004150150.tif 000003
【図２】
2004150150.tif 000004
【図３】
2004150150.tif 000005
【図４】
2004150150.tif 000006
【図５】
2004150150.tif 000007
【図６】
2004150150.tif 000008
【図７】
2004150150.tif 000009
【図８】
2004150150.tif 000010